(57)【特許請求の範囲】
【請求項１】
ショートメッセージを送付可能な２つの異なるネットワークで作動するモビルステーションにショートメッセージを送付するための方法であって、ネットワークのうち１つは１次ネットワークであり、もう１つは２次ネットワークであり、モビルステーションに到達する試みは先ず１次ネットワーク経由で行われる方法において、ショートメッセージが１次ネットワーク経由でモビルステーションに送付できない場合には、１次ネットワーク経由ではモビルステーションに到達出来ないという情報がホームロケーションレジスターに送られ、次にホームロケーションレジスターがモビルステーションへの経路指示情報を問われたときには、２次ネットワークでのアドレスが送られることを特徴とする方法。
【請求項２】
ホームロケーションレジスタは１次ネットワークでのアドレスも含んでいるが、次に２次ネットワークでのアドレスが送られる請求項１に記載の方法。
【請求項３】
モビルステーションが１次ネットワーク経由で再び到達可能となったとき、それに従えば１次ネットワーク経由ではモビルステーションに到達できないという情報が、１次ネットワークにより送られたメッセージに応じてホームロケーションレジスターからクリアされ、次にホームロケーションレジスターがモビルステーションへの経路指示情報を問われたときには、１次及び２次ネットワークのアドレスが送られることを特徴とする、上記請求項１又は２に記載の方法。
【請求項４】
モビルステーションが１次ネットワークに接続されていて、１次ネットワーク経由でのショートメッセージ送付が失敗した場合、２次ネットワーク経由でのショートメッセージ送付が妨げられることを特徴とする、上記請求項１、２又は３の何れかに記載の方法。
【請求項５】
モビルステーションが１次ネットワークから切り離された場合、モビルステーションへ到達するための試みが行われたが成功しなかったという情報が２次ネットワークのノードに送られることを特徴とする、上記請求項４に記載の方法。
【請求項６】
モビルステーションが１次ネットワーク経由で２次ネットワークに接続された場合、２次ネットワークのノードは、２次ネットワークのノードからモビルステーションへ到達するための試みが行われたが成功しなかったという前記情報を削除することによって、ホームロケーションレジスターにモビルステーションの接続を知らせることを妨げられることを特徴とする、上記請求項５に記載の方法。
【請求項７】
ネットワークの内一つがＧＰＲＳネットワークであり、他の一つがＧＳＭネットワークであることを特徴とする、上記請求項の何れか一つに記載の方法。
【請求項８】
ショートメッセージを送付可能な２つの異なるネットワークで作動するモビルステーションにショートメッセージを送付するための方法であって、ネットワークのうち１つは１次ネットワークであり、もう１つは２次ネットワークであり、モビルステーションに到達する試みは先ず１次ネットワーク経由で行われ、１次ネットワークにおけるモビルステーションの接続は、モビルステーションが２次ネットワーク経由で通信している間は保留される方法において、１次ネットワーク接続が保留されている間にショートメッセージが送付された場合、モビルステーションへの到達の試みを標示するフラグは非活動状態におかれ、モビルステーションへは１次ネットワーク経由で到達可能の標示が失敗報告メッセージで送られることを特徴とする方法。
【請求項９】
ショートメッセージを送付可能な２つの異なるネットワークで作動するモビルステーションにショートメッセージを送付するための方法であって、ネットワークのうち１つは１次ネットワークであり、もう１つは２次ネットワークであり、モビルステーションに到達する試みは先ず１次ネットワーク経由で行われる方法において、モビルステーションが１次ネットワーク経由で２次ネットワークに接続された場合、２次ネットワークのノードは、２次ネットワークのノードに保持されているかもしれない、モビルステーションへ到達するための試みが行われたが成功しなかったという情報を保証することによって、ホームロケーションレジスターにモビルステーションの接続を知らせることを妨げられることを特徴とする方法。
【請求項１０】
ショートメッセージを送付可能な２つの異なるネットワークで作動するモビルステーションにショートメッセージを送付するための方法であって、ネットワークのうち１つは１次ネットワークであり、もう１つは２次ネットワークであり、モビルステーションに到達する試みは先ず１次ネットワーク経由で行われ、前記モビルステーションは１次ネットワークに接続されている方法において、ショートメッセージが１次ネットワーク経由でモビルステーションに送付できず、２次ネットワーク経由でのショートメッセージの送付も成功しないであろうことが明白である場合、２次ネットワーク経由でのショートメッセージの送付が防がれることを特徴とする方法。
【請求項１１】
ショートメッセージを送付可能な２つの異なるネットワークで作動するモビルステーションにショートメッセージを送付するための方法であって、ネットワークのうち１つは１次ネットワークであり、もう１つは２次ネットワークであり、モビルステーションに到達する試みは先ず１次ネットワーク経由で行われる方法において、加入者データベースにモビルステーションが１次ネットワーク経由で到達可能であるかの情報を提供する段階と、加入者データベースで経路指示情報要求を受け取る段階と、モビルステーションが１次ネットワーク経由で到達可能であれば、１次ネットワークでのアドレスをそして随意選択的に２次ネットワークでのアドレスを経路指示情報応答として送る段階と、モビルステーションが１次ネットワーク経由で到達不能であれば、２次ネットワークでのアドレスを経路指示情報応答として送る段階とから成ることを特徴とする方法。
【請求項１２】
たとえ加入者データベースが１次ネットワークでのアドレスを有するとしてもモビルステーションが１次ネットワーク経由で到達不能な場合は、２次ネットワークでのアドレスを経路指示情報応答として送る上記請求項１１に記載の方法。
【請求項１３】
少なくとも１つのモビルステーション（ＭＳ）と、モビルステーションとのパケット切替データ転送のためのラジオインタフェースをサポートノードに提供するディジタルセルラーラジオネットワークに接続された少なくとも１つのパケットラジオサポートノード（ＳＧＳＮ）と、ショートメッセージをモビルステーションに送付するためにパケットラジオサポートノードとディジタルセルラーラジオネットワークとに接続された少なくとも１つのショートメッセージサービスのためのゲートウェイモビル切替センター（ＳＭＳ−ＧＭＳＣ）と、モビルステーションに対する経路指示アドレスを維持するための少なくとも１つのホームロケーションレジスター（ＨＬＲ）とから成り、前記ショートメッセージサービスのためのゲートウェイモビル切替センターは、モビル宛のショートメッセージを、最初は、パケットラジオネットワークのアドレスを使ってパケットラジオネットワークのサービングパケットラジオサポートノード経由で送付し、パケットラジオサポートノードから受信した失敗報告メッセージに応じて、ホームロケーションレジスターが両方のアドレスを与えれば、ディジタルセルラーラジオネットワーク経由でショートメッセージの送信を試みるようになっており、前記ディジタルセルラーラジオネットワークは、モビルステーションが両ネットワークに同時に接続される度にパケットラジオネットワークのサービングパケットラジオサポートノード経由でモビルステーションをページングするようになっているセルラーパケットラジオネットワークにおいて、パケットラジオサポートノードがモビルステーションにショートメッセージを送付するのに成功しなかった場合、パケットラジオサポートノードは、ショートメッセージサービスのためのゲートウェイモビル切替センターに送られる前記失敗報告メッセージに、ショートメッセージサービスのためのゲートウェイモビル切替センターがショートメッセージをディジタルセルラーラジオネットワーク経由で再送信するのを妨げる情報を挿入するようになっていることを特徴とするセルラーパケットラジオネットワーク。
【請求項１４】
モビルステーションがパケットラジオネットワークから切り離された場合は、パケットラジオサポートノードは、ディジタルセルラーラジオネットワークに切り離しを知らせる、モビルステーションには到達できないという標示をメッセージに挿入するようになっており、ディジタルセルラーラジオネットワークはその記録簿の中に、前記標示の受領に応じてモビルステーションには到達不能とマークするようになっていることを特徴とする、上記請求項１３に記載のセルラーパケットラジオネットワーク。
【請求項１５】
パケットラジオネットワークとセルラーラジオネットワークとに同時に接続できる少なくとも１つのモビルステーション（ＭＳ）と、モビルステーションとのパケット切替データ転送のためのラジオインタフェースをサポートノードに提供するディジタルセルラーラジオネットワークに接続された少なくとも１つのパケットラジオサポートノード（ＳＧＳＮ）と、モビルステーションが接続されているネットワークに関する情報を記憶する少なくとも１つのホームロケーションレジスター（ＨＬＲ）とから成り、パケットラジオネットワークのサポートノードは、モビルステーションがサポートノード経由でディジタルセルラーラジオネットワークに接続してきたときはディジタルセルラーラジオネットワークに情報を送るようになっており、ディジタルセルラーラジオネットワークはパケットラジオサポートノードからの前記情報の受信に応じて、その記録簿に保持されているかもしれない、モビルステーションには到達不能の標示をクリアし、そして／又は、ホームロケーションレジスターにはモビルステーションのセルラーラジオネットワークへの接続の標示を送らないようになっていることを特徴とするセルラーパケットラジオネットワーク。
【請求項１６】
パケットラジオネットワークとセルラーラジオネットワークとに同時に接続できる少なくとも１つのモビルステーション（ＭＳ）と、モビルステーションとのパケット切替データ転送のためのラジオインタフェースをサポートノードに提供するディジタルセルラーラジオネットワークに接続された少なくとも１つのパケットラジオサポートノード（ＳＧＳＮ）と、モビルステーションが接続されているネットワークに関する情報を記憶する少なくとも１つのホームロケーションレジスター（ＨＬＲ）とから成り、パケットラジオネットワークのサポートノードは、モビルステーションがサポートノード経由でディジタルセルラーラジオネットワークに接続してきたときはディジタルセルラーラジオネットワークにメッセージを送るようになっており、前記メッセージは、ディジタルセルラーラジオネットワークの記録簿に保持されているかもしれない、モビルステーションには到達不能という標示をクリアすることという情報を含んでおり、ディジタルセルラーラジオネットワークは、パケットラジオサポートノードからの前記情報の受信に応じて、その記録簿に保持されているかもしれない、モビルステーションには到達不能という標示をクリアし、そしてホームロケーションレジスターにはモビルステーションのセルラーラジオネットワークへの接続の標示を送らないようになっていることを特徴とするセルラーパケットラジオネットワーク。
【請求項１７】
少なくとも１つのモビルステーション（ＭＳ）と、モビルステーションとのパケット切替データ転送のためのラジオインタフェースをサポートノードに提供するディジタルセルラーラジオネットワークに接続された少なくとも１つのパケットラジオサポートノード（ＳＧＳＮ）と、モビルステーションにショートメッセージを送付するためにパケットラジオサポートノードとディジタルセルラーラジオネットワークとに接続されている少なくとも１つのショートメッセージサービスのためのゲートウェイモビル切替センター（ＳＭＳ−ＧＭＳＣ）と、モビルステーションに対する経路指示アドレスと契約者データとを維持するための少なくとも１つのホームロケーションレジスター（ＨＬＲ）とから成り、前記ホームロケーションレジスターは、モビルステーションがパケットラジオネットワークとセルラーラジオネットワークの両ネットワークに接続されているときは、モビル宛ショートメッセージ経路指示情報質問に応じて、パケットラジオネットワークのアドレスとセルラーラジオネットワークのアドレスを与えるようになっており、前記ホームロケーションレジスターは、モビルステーションがパケットラジオネットワークかセルラーラジオネットワークかの何れかのみに接続されているときは、モビル宛ショートメッセージ経路指示情報質問に応じて、パケットラジオネットワークのアドレスかセルラーラジオネットワークのアドレスかだけを与えるようになっており、前記ショートメッセージサービスのためのゲートウェイモビル切替センターは、ホームロケーションレジスターが両アドレスを与える場合は、モビル宛ショートメッセージを、先ず、パケットラジオネットワークのアドレスを使ってパケットラジオネットワークのサービングパケットラジオサポートノード経由で送付するようになっており、前記ショートメッセージサービスのためのゲートウェイモビル切替センターは、ホームロケーションレジスターがパケットラジオネットワークのアドレス又はセルラーラジオネットワークのアドレスだけを与える場合は、モビル宛ショートメッセージを、パケットラジオネットワーク又はセルラーラジオネットワークだけの経由で送付するようになっているセルラーパケットラジオネットワークにおいて、パケットラジオサポートノードがモビルステーションへショートメッセージを送付するのに成功しなかった場合、パケットラジオサポートノードは、ショートメッセージサービスのためのゲートウェイモビル切替センターに送られる失敗報告メッセージに、モビルステーションにはパケットラジオネットワーク経由で到達不能という標示を挿入するようになっており、ショートメッセージサービスのためのゲートウェイモビル切替センターは前記標示に応じて、同じ標示をホームロケーションレジスターに送られる送付報告メッセージに挿入するようになっており、ホームロケーションレジスターは前記標示の受け取りに応じて、前記標示をその記録簿に記憶するようになっており、ホームロケーションレジスターは経路情報質問に応じて、前記標示がモビルステーションに対する加入者データに記憶されているときは、たとえホームロケーションレジスターが両方のアドレスを有するとしても、ディジタルセルラーラジオネットワークのアドレスだけを与えるようになっていることを特徴とするセルラーパケットラジオネットワーク。
【請求項１８】
第１データ転送経路を提供する１次ネットワークと、１次ネットワーク内の少なくとも１つのネットワークノード（ＳＧＳＮ）と、第２データ転送経路を提供する２次ネットワークと、１次ネットワーク及び２次ネットワークと同時に接続できる少なくとも１つのモビルステーション（ＭＳ）と、モビルステーションにショートメッセージを送付するために１次ネットワーク及び２次ネットワークに接続されている少なくとも１つのショートメッセージサービスのためのゲートウェイモビル切替センター（ＳＭＳ−ＧＭＳＣ）と、モビルステーションに対する経路指示アドレスと加入者データを維持するための少なくとも１つのホームロケーションレジスター（ＨＬＲ）とから成り、前記ホームロケーションレジスター（ＨＬＲ）は、モビルステーションが１次と２次の両ネットワークに接続されているときは、モビル宛ショートメッセージ経路指示情報質問に応じて、１次ネットワークのアドレスと随意的に２次ネットワークのアドレスを与えるようになっており、前記ホームロケーションレジスター（ＨＬＲ）は、モビルステーションがパケットラジオネットワークかセルラーラジオネットワークかの何れかのみに接続されているときは、モビル宛ショートメッセージ経路指示情報質問に応じて、１次ネットワークのアドレスか２次ネットワークのアドレスかだけを与えるようになっており、前記ショートメッセージサービスのためのゲートウェイモビル切替センター（ＳＧＳ−ＧＭＳＣ）はホームロケーションレジスターが両アドレスを与える場合は、モビル宛ショートメッセージを、先ず１次ネットワークのアドレスを使って１次ネットワークのネットワークノード経由で送付するようになっており、前記ショートメッセージサービスのためのゲートウェイモビル切替センター（ＳＧＳ−ＧＭＳＣ）は、ホームロケーションレジスターが１次ネットワークのアドレス又は２次ネットワークのアドレスだけを与える場合は、モビル宛ショートメッセージを、１次ネットワーク又は２次ネットワークのみの経由で送付するようになっているセルラーラジオネットワークにおいて、ネットワークノード（ＳＧＳＮ）がモビルステーション（ＭＳ）へショートメッセージを送付するのに成功しなかった場合、ネットワークノード（ＳＧＳＮ）は、ショートメッセージサービスのためのゲートウェイモビル切替センター（ＳＭＳ−ＧＭＳＣ）に送られる失敗報告メッセージに、モビルステーション（ＭＳ）には１次ネットワーク経由で到達不能という標示を挿入するようになっており、ショートメッセージサービスのためのゲートウェイモビル切替センター（ＳＭＳ−ＧＭＳＣ）は前記標示に応じて、同じ標示をホームロケーションレジスター（ＨＬＲ）に送られる送付報告メッセージに挿入するようになっており、ホームロケーションレジスター（ＨＬＲ）は前記標示の受け取りに応じて、前記標示をその記録簿に記憶するようになっており、ホームロケーションレジスター（ＨＬＲ）は経路情報質問に応じて、前記標示がモビルステーション（ＭＳ）に対する加入者データに記憶されているときは、たとえホームロケーションレジスターが両方のアドレスを有するとしても、２次ネットワークのアドレスだけを与えるようになっていることを特徴とするセルラーラジオネットワーク。
【請求項１９】
ネットワークオペレーターが両ネットワーク（ＧＰＲＳ、ＧＳＭ）の何れを１次ネットワークとして使い、何れを２次ネットワークとして使うかを決めることが出来ることを特徴とする、上記請求項１８に記載のセルラーラジオネットワーク。
【請求項２０】
ショートメッセージを２つのネットワーク内で作動しているモビルステーションに送付可能な２つの異なるネットワークから成る電気通信システムにおける加入者データベース（ＨＬＲ）であって、前記ネットワークの１つは１次ネットワーク、他の１つは２次ネットワークで、前記モビルステーションに到達する試みは、ショートメッセージをモビルステーションに送付するために、基本的に先ずに前記１次ネットワーク経由で行われる、加入者データと、経路指示情報と、経路指示情報要求への返答を送るための送付手段から成る加入者データベースにおいて、前記加入者データベースはモビルステーションに１次ネットワーク経由で到達可能であるかの到達性情報を維持するための記憶手段を含み、前記送付手段は到達性情報に応じて、経路指示情報要求に対する応答の中に、モビルステーションが１次ネットワーク経由で到達可能な場合は、１次ネットワークでのアドレス及び随意的に２次ネットワークでのアドレスを含み、モビルステーションが１次ネットワーク経由で到達不能な場合は、２次ネットワークでのアドレスを含むようになっていることを特徴とする加入者データベース。
【請求項２１】
たとえ経路指示情報が両方のネットワークについてのアドレスを有するとしてもモビルステーションが１次ネットワーク経由で到達不能な場合は、送付手段は応答の中に２次ネットワークでのアドレスだけを含むように構成されている上記請求項２０に記載の加入者データベース。
【発明の詳細な説明】
発明の背景
本発明は、移動局へのショートメッセージの配送及び、特にアクセスネットワークとして移動通信ネットワークを用いる、移動性支援パケット無線ネットワークにおける、パケット無線ネットワーク内では到達できない状況にあるデュアルモード移動局へのショートメッセージの配送に関する。
固定の電話端末の有用性を損なわずに、人々をそれらの電話端末から開放しそこから離れることを可能にしたいという要求が存在したために、移動通信システムが発達して来ている。オフィスでの様々なデータ転送サービスの使用の増加と同時に、移動通信システムにも様々なデータサービスが導入されている。ラップトップコンピュータにより、ユーザが移動するどの場所でも効率的なデータ処理を行うことが可能である。移動通信ネットワークは、ユーザに移動データ転送のための効率的なアクセスネットワークを提供しており、こうして実際のデータネットワークへのアクセスを提供している。この目的で、現在および未来の移動ネットワークのための様々な新しい形態のデータサービスが計画されている。全欧移動通信システムであるGSM（Global System for Mobile Communications）等のディジタル移動通信システムは移動データ転送を特に良くサポートしている。
General Packet Radio Service（GPRS）はGSMシステムの新しいサービスであり、ETSI（European Telecommunications Standards Institute）におけるGSM Phase2+標準化ワークのトピックの1つである。GPRSの動作環境は、GPRSバックボーンネットワークにより相互接続された単数または複数のサブネットワークサービスエリアから成る。サブネットワークは、多数のパケットデータサービスノードSNから成り、サービスノードはここでは収容GPRSサポートノード（SGSN）と称され、幾つかの基地局すなわちセルを介してパケットデータサービスを移動データ端末機器に提供するために、各々GSM移動通信ネットワーク（一般的には基地局システム）に接続されている。中継移動通信ネットワークはサポートノードと移動データ端末間のパケット交換データ転送を提供する。それらの部分に対する異なるサブネットワークは、特定GPRSゲートウェイサポートノードGGSNを介して、例えば公衆交換データネットワークPSPDN等の外部データネットワークに接続されている。このことから、GPRSサービスは移動データ端末と、アクセスネットワークとして機能する、外部データネットワークであるGSMネットワークとの間のパケットデータ転送を可能にしている。GPRSネットワークのアーキテクチャを図1に示す。
移動通信ネットワークのサービスの一種は、ショートメッセージサービス（SMS）である。ショートメッセージは信号メッセージの形で送信されるため、短いメッセージを送るためには送信元と受信先のコネクションを確立する必要が無いという点で、このサービスは音声およびデータサービスと異なっている。ショートメッセージによるデータ転送は1つのメッセージのみに限られている。ショートメッセージサービスは非対称であり、移動発信されるショートメッセージの送信は移動終端されるショートメッセージの送信とは異なるサービスと考えられる。GSMネットワークでは、ショートメッセージは制御チャネル上を中継されるため、たとえ通話中でもそれらを受信したり送ることができる。ショートメッセージサービスセンターSM-SCはショートメッセージを配送したり、配送が失敗したショートメッセージを格納したり再送信したりするエンティティーである。全てのショートメッセージがショートメッセージサービスセンターSM-SCを通過する。ショートメッセージサービスセンターは移動局MSへの配送のための如何なるネットワークをも通じてショートメッセージを受信することができる。ショートメッセージサービスセンターSM-SCは、受信したショートメッセージを、移動局へさらに配送するためのショートメッセージサービス用ゲートウェイ移動交換センター（SMS-GMSC）へ転送する。移動局からの受信ショートメッセージは、ショートメッセージサービス用網間接続移動交換センター（SMS-IWMSC）を介して、さらなる配送のためのショートメッセージサービスセンターへ送信される。ショートメッセージサービスを提供するために、GPRSネットワークはショートメッセージサービス用ゲートウェイ移動交換センターSMS-GMSCとショートメッセージサービス用網間接続移動交換センターSMS-IWMSCに接続した収容GPRSサポートノードSGSNを有している。これらを通じて、GPRSネットワークに属した移動局MSは、GPRSの無線チャネル上でショートメッセージを送信したり受信したりすることができる。
GPRS加入者に関する移動性管理（MM）活動は移動局MSの3つの異なるMM状態のうちの1つにより特徴付けられる：アイドル状態、待機状態およびレディ状態である。各状態はあるレベルの機能性と、移動局MSと収容GPRSサポートノードSGSNに割り当てられた情報を表わしている。これらの状態に関する情報セットは、収容GPRSサポートノードSGSNと移動局MSにおいて維持されるが、これらをMMコンテクストと記すことにする。収容GPRSサポートノードSGSNのコンテクストは、加入者IMSI、TLLI等の加入者データ、および位置またはルーティングデータ等から成る。
アイドル状態では、移動局MSはGPRSネットワークの観点からは到達不可能であり、ネットワークは移動局MSに関する現在の状態、位置、あるいいはルーティング情報、つまりMMコンテクストを何も有していない。移動局MSがデュアルモード型である場合、つまりGPRSネットワークとGSMネットワークとで動作可能である場合は、GPRSアイドル状態にある時はGSMネットワークにあることになる。移動局MSはGPRSネットワークに属することによりアイドル状態からレディ状態へと移り、GPRSネットワークから外れることにより待機状態またはレディ状態からアイドル状態へと移ることが可能である。
待機およびレディ状態では、移動局MSはGPRSネットワークに属している。レディ状態は、MSがユーザーデータを送信したり受信できる実際のデータ転送状態である。GPRSネットワークが移動局をページングする時、または移動局MSがデータ転送またはシグナリングを開始する時、MSは待機状態からレディ状態へと変る。ユーザーデータが転送されない場合、またはシグナリングが起らない場合でも、移動局MSは（タイマに予め設定されたタイムアウト間）レディ状態のままでいることもできる。移動局が「デュアルモード」移動局であって、待機状態またはレディ状態である場合、例えば移動局に対して行われる音声の発呼などの回路交換サービスに必要とされるページングが、GPRSネットワークの収容サポートノードSGSNを通じて行われる。言い換えると、GSMページングはGPRSページングとして実行される。
ショートメッセージサービスセンターSM-SCが移動局MSへの配送用のショートメッセージを受信すると、ショートメッセージサービスセンターはメッセージをショートメッセージサービス用ゲートウェイ移動交換センターSMS-GMSCへ送り、ゲートウェイ移動交換センターは宛先MSアドレスを調べて、関連したホームロケーションレジスタHLRからのルーティング情報を要求する。GSMネットワークのホームロケーションレジスタHLRもまたGPRS加入者データとルーティング情報を含んでいる。ホームロケーションレジスタHLRはそのメッセージ内で移動局MSの収容GPRSサポートノード（SGSN）アドレスまたは移動サービス交換センターMSCにおけるVLRアドレスまたは両方を送る。HLRメッセージがMSC/VLRアドレスのみを含んでいる場合は、ショートメッセージは通常GSMネットワークを通じて配送される。HLRメッセージがSGSNアドレスを含んでいる場合は、ショートメッセージサービス用ゲートウェイ移動交換センターSMS-GMSCはショートメッセージSMを収容GPRSサポートノードSGSNへ送る。移動局MSがネットワークに属しており到達可能である場合は、収容GPRSサポートノードSGSNはショートメッセージSMを移動局MSへ転送する。
しかしながら、例えば無線チャネル状況が不良であるとか、移動局MSがGPRSネットワークから外れている、つまりアイドル状態であるといった事実により、収容サポートノードSGSNがショートメッセージSMを移動局MSへ配送できない場合がある。HLRは移動局の状態を把握しているのではなく、アドレスを知るのみである。収容サポートノードSGSNがショートメッセージの移動局への配送に成功しない場合、収容サポートノードSGSNは、移動局が到達不可能であることを示すフラグMSNRF（=Mobile Subscriber Not Reachable Flag）をセットして、失敗レポートをSMS-GMSCへ送る。
ホームロケーションレジスタHLRから受信したルーティング情報がMSC/VLRアドレスを含んでいない場合は、SMS-GMSCは待ち状態のメッセージがあることを示すメッセージをホームロケーションレジスタHLRへ送り、メッセージをそのバッファから削除し、そして失敗レポートをショートメッセージサービスセンターSM-SCへ返す。HLRはそのレジスターにおいて、この移動局を待つショートメッセージがあることを示すフィールドを更新する。移動局がネットワークに再び属す前に、同じ移動局に対する新しいショートメッセージが到着した場合は、HLRは移動局が到達不可能であることがわからないので、新しいショートメッセージを配送する試みが行われる。このように、ネットワークで不必要なシグナリングが生成されるが、ショートメッセージを配送することはできない。
収容サポートノードSGSNのアドレスに加えて移動サービス交換センターMSC/VLRのアドレスがホームロケーションレジスタHLRから受信された場合、ショートメッセージSMはサービスGPRSサポートノードSGSNを通じて配送することが出来ないので、ショートメッセージサービス用ゲートウェイ移動交換センターSMS-GMSCはショートメッセージSMを移動サービス交換センターMSC/VLRへ送る。
移動局が両方のネットワークに属している時は、収容GPRSサポートノードSGSNを通じて、移動局MSに対するGSMページング要求が送られる。ネットワークに属している移動局が到達不可能、つまりページング要求に応答しなかったため、ショートメッセージSMが収容GPRSサポートノードSGSNを通じて移動局へ配送できない場合は、移動局MSは収容サポートノードSGSNを通じてページングされるため、ショートメッセージは移動サービス交換センターMSC/VLRを通じても配送することはできない。ページング失敗により、ビジターロケーションレジスターMSC/VRLはフラグMobile Subscriber Not Reachable Flag（MSNRF）をセットし、失敗レポートをショートメッセージサービス用ゲートウェイ移動交換センターSMS-GMSCへ返し、ゲートウェイ移動交換センターは、ホームロケーションレジスターHLRに、そのレジスタにおいて、あるショートメッセージがこの移動局を待っていることを示すフィールドを更新するよう再び要求する。今や移動局が到達不可能であるという事実の表示が３つの位置で保持されている。さらに、結果は明らかであるが、ページングに関して移動サービス交換センターMSC/VLRと収容サポートノードSGSN間で不必要なシグナリングが行われている。
移動局がGPRSネットワークにおいて再び到達可能になると、SGSNは移動局MSが利用可能であるという事実に関する情報をホームロケーションレジスターに送る。移動局がGSMネットワークで到達可能になると、同じ情報がMSC/VLRによりホームロケーションレジスターに送られる。ホームロケーションレジスターに受信される最初の情報により、上記のルーティンを用いてショートメッセージの再送信が開始されるので、SGSNまたはMSC/VLRにより送られる情報は全く不必要である。移動局が最初にGSMネットワークにおいて到達可能になった場合は、GPRSはショートメッセージを最初に配送するように、不必要な要求をされることになる。
また、ネットワークが移動局MSを外したばかりの場合、つまりアイドル状態にしてしまった場合、GPRSネットワークが移動局に到達できないという事実により、つまり移動局は例えばページング要求に応答しないため、上記の問題が起る。しかし移動局MSは自身をGPRSネットワークに属しているとみなしている。そうした状況では、移動サービス交換センターMSC/VLRはGSMネットワークのページングチャネル上で移動局にコンタクトを試みるが、移動局は依然としてGPRSネットワークのページングチャネルを聴取しているため、他のチャネルからのページングメッセージを検出できない。結果が予測できるため、移動サービス交換センターMSC/VLRのページシグナリングは不必要である。ショートメッセージは配送できず、失敗に関する情報によりその表示が3箇所で作成され、こうしてホームロケーションレジスタと各ネットワークノード間で不必要なシグナリングを発生させる。
ショートメッセージSMをGPRSネットワークを通じて送る試みが行われた時に移動局MSがアイドル状態にあった場合、GSMネットワークを通じてのショートメッセージSMの送信は成功することもある。ショートメッセージSMを配送することが（MSC/VLRがショートメッセージの配送に成功したか否かとは関係なく）可能であったとしても、フラグMSNRFは収容ネットワークノードSGSN内にセットされたままである。その結果、MSが再びGPRSネットワークに属した時、ショートメッセージが何も控えていない場合でも、SGSNはこの事の表示（Note MS Present）をホームロケーションレジスターに送る。ショートメッセージSMの送信が失敗した場合、ビジターロケーションレジスターVLRはフラグMSNRFをセットしてショートメッセージの配送失敗に関するレポートをSMS-GMSCへ送る。その後は移動局が到達不可能である事実に関して情報が3箇所で保持され、これにより上述のような不必要なシグナリングが発生する。
特に、移動局MSがアイドル状態にある時、ホームロケーションレジスターHLRが移動局の最近のネットワークアドレスすなわちMSC/VLRおよびSGSNアドレスしか知らないという事実により問題が起る。それゆえ、移動局がGPRSを通じて到達不可能であっても、ホームロケーションレジスターHLRはルーティング情報内で両方のアドレスを返す。GPRSが主要なネットワークである場合、メッセージを最初にGPRSネットワークを通じて送ろうとする試みが常に行われ、こうして、移動局がGPRSネットワークを通じて到達不可能である時に不必要なシグナリングを生じることになる。
パケット交換サービスと回路交換GSMサービスを同時に使用できない「Class B移動局」で音声通話中である場合、移動局はGPRSネットワークを通じて到達することができない。音声コネクションが確立している時はGSMネットワークにおいて別のページングは必要ないため、ショートメッセージはMSC/VLRを通じて直接配送することができる。しかし、収容サポートノードSGSNを通じてショートメッセージを配送しようとする試みがなされた時、通話中であるためにコネクションが延期されたという事実により失敗したのであっても、収容サポートノードはフラグMSNRFを失敗の表示としてセットする。呼が終端されると、移動局MSがGPRSネットワークに存在するという事実に関する情報が不必要にホームロケーションレジスターHLRに送られる。
発明の簡単な説明
本発明の目的は、2つのネットワークで動作可能な移動局へショートメッセージが送られる際に、できるだけ簡単な動作をすることである。
本発明の目的は、独立クレームに開示されるという点で特徴付けられる方法および無線ネットワークにより達成できる。本発明の好適な実施例は従属クレームで述べられる。
本発明において、ネットワーク要素を制御するパラメータがシグナリングメッセージに挿入され、そして/または移動局の到達可能性に関する情報がホームロケーションレジスターなどの加入者データベースに供給される。
本発明の好適な実施例において、移動加入者の加入者データを格納する加入者データベースには移動局が主要ネットワークを通じて到達可能か否かに関する情報が提供される。移動局が主要ネットワークを通じて到達可能である場合、加入者データベースは主要ネットワークにおけるアドレス、および選択的に第２のネットワーク（請求項中の「２次ネットワーク」に相当）におけるアドレスを問い合わせて来ているネットワーク要素に送ることにより、ルーティング情報要求に応答する。移動局が主要ネットワークを通じて到達不可能である場合、加入者データベースは第2のネットワークにおけるアドレスを問い合わせて来ているネットワーク要素に送ることにより、ルーティング情報要求に応答する。「主要ネットワーク」は移動局への到達を試みるネットワークの一部であり、言い換えると主要ルートのことである。「第2のネットワーク」は主要ネットワークを通じた移動局への到達の試みが失敗した場合に移動局への到達を試みるネットワークの一部であり、言い換えると第2のルートである。
従って、本発明の方法および無線ネットワークの有用な点は、ショートメッセージを移動局へ送るちょうどその時に移動局が主要ネットワークを通じて到達不可能である際に、余分なシグナリングを減少できる事にある。
【図面の簡単な説明】
以下の好適な実施例により、添付図面を参照して本発明をより詳細に説明する。添付図面のうち、
図1はGPRSネットワークのアーキテクチャを示す図であり、
図2は、GPRSネットワークおよびGSMネットワークに属する移動局MSにショートメッセージを配送する試みがなされる場合のシグナリングチャートであり、
図3は、GPRSネットワークおよびGSMネットワークに属し、それからGPRSネットワークから外れる移動局にショートメッセージを配送する試みがなされる場合のシグナリングチャートであり、
図4はネットワークへの組合せ所属のシグナリングチャートであり、
図5はGPRSネットワークから外れているがGSMネットワークに属する移動局にショートメッセージを配送する試みがなされる場合のシグナリングチャートであり、
図6はGPRSコネクションが中止された移動局にショートメッセージを配送する試みがなされる場合のシグナリングチャートである。
好適な実施例の詳細な説明
本発明は、2つの異なるデータ送信システムの様々な組合せでの使用に適切であり、これらのシステムでは加入者が両システムを介して同じサービスを受けることができる。本発明は特に全欧ディジタル移動通信システムGSM（Global System for Mobile Communications）またはDCS1800やPCS（Personal Communication System）等の相当する移動通信システムにおけるGeneral Packet Radio Service（GPRS）を実施しての使用に適切である。以下では、GPRSサービスとGSMシステムの組合せから成るGPRSパケット無線ネットワークにより、本発明の主要な実施例を説明するが、本発明はそうした種類の特定のパケット無線システムに限定されるものではない。
図1はGSMシステムにおいて実施されるGPRSパケット無線ネットワークを示している。
GSMネットワークの基本構造は2つの部分から成っている。つまり基地局サブシステムBSSおよびネットワークサブシステムNSSである。基地局サブシステムBSSと移動局MSは無線リンク14で通信する。ショートメッセージサービスのためには、GSMネットワークはショートメッセージサービスセンターSM-SCへのコネクションを有している。SM-SCはショートメッセージの移動局への配送のためにショートメッセージサービス用ゲートウェイ移動交換センターSMS-GMSCを有している。GSMシステムのより詳細な説明のために、ETSI/GSM勧告および「移動通信のためのGSMシステム（The GSM System for Mobile Communications）」（M.Mouly、M.Pautet、Palaiseau,France,1992,ISBN:2-9507190-07-7）を参照する。
図中、GSMネットワークに接続したGPRSシステムは1つの収容GPRSサポートノードSGSNと1つのGPRSゲートウェイサポートノードGGSNを有するGPRSネットワークから成る。これらの異なるサポートノードSGSN、GGSNはIntra-Operator Backbone Networkにより相互接続されている。GPRSネットワークはサポートノードとゲートウェイサポートノードをいくつでも有することが可能であることがわかる。
収容GPRSサポートノードSGSNは移動局MSを収容するノードである。各サポートノードSGSNは、セル式パケット無線ネットワークの単数または複数のセルのエリアにおけるパケットデータサービスを管理する。この目的で、各サポートノードSGSNはGSM移動通信システムの特定の局部に接続（Gbインタフェース）されている。この接続は一般に基地局サブシステムBSSに対して行われる。セル内の移動局MSは無線インタフェース14を越えて基地局BTSと通信し、さらに移動通信ネットワークを通じて、セルが属するサービスエリアのサポートノードSGSNと通信する。原則的には、サポートノードSGSNと移動局MS間の移動通信ネットワークはこれら2者の間でパケットを中継するのみである。この目的で、移動通信ネットワークは移動局MSと収容サポートノードSGSNとの間でパケット交換データパケットの中継を提供する。なお、移動通信ネットワークは移動局MSとサポートノードSGSN間の物理コネクションを提供するのみであり、その正確な動作および構造には本発明に取り不可欠な重要性は無い。
移動局MSがGPRSネットワークに属する時、つまりGPRS Attach手順に関して、SGSNは移動局MSの移動性および安全性に関する情報を含む移動性管理コンテクスト（MMコンテクスト）を確立する。明確にすると、本願では、移動局のネットワークへの所属、移動局の到達不可能性等に言及している。このコンテクストにおいて、移動局は、一般には移動単位または移動加入者を意味する。言い換えると、移動加入者のネットワークへの所属、移動加入者の到達不可能性等を表わすこともできる。
アソシエーション（Gsインタフェース）をSGSNとMSC/VLRの間に提供することも可能である。アソシエーションでは、ビジターロケーションレジスターMSC/VLRはSGSNアドレスと移動局MSのクラスを格納しており、SGSNは移動関連データにおけるビジターロケーションレジスターVLRのアドレスを格納している。アソシエーションはClass AおよびClass Bの移動局に対してのみ可能であり、それらは両ネットワークに同時に属することが可能である。アソシエーションは、収容サポートノードSGSNと組合せIMSI/GPRS所属および分離を介して、例えばIMSI所属およびIMSI分離を可能にする。IMSI所属はGSMネットワークへの所属を意味する。また、アソシエーションは、回路交換サービスすなわちGSMサービスにおいて、移動局MSが収容サポートノードSGSNを介してページングされる、言い換えれば移動サービス交換センターMSC/VLRがページングメッセージをSGSNページングメッセージへ変換する収容サポートノードSGSNへページングメッセージを送ることによりページングを実行するという結果も有する。
移動局がネットワークの1つに属しており、他のネットワークに属した時、あるいは組合せ所属または組合わせロケーション更新の際に、アソシエーションが確立される。アソシエーションはいずれかのネットワークからの分離に関連して開放される。
GPRSゲートウェイサポートノードGGSNはオペレータのGPRSネットワークを他のオペレータのGPRSシステムへ、そしてInter-Operator Backbone Network,IPネットワーク（インターネット）あるいはX.25ネットワーク等のデータネットワーク11-12へ接続する。GGSNはGPRS加入者に関するルーティング情報すなわちSGSNアドレスを備えている。SGSNおよびGGSN機能性は同じ物理ノードで組み合わせることもできる。
GSMネットワークのホームロケーションレジスターHLRはGPRS加入者データとルーティング情報を備え、International Mobile Subscriber Identity（IMSI）をこの情報に組み込んでいる。HLRはそのレジスターにおいて、各加入者に対するアドレスリストを維持しており、アドレスリストには、移動局MSへの配送を待つショートメッセージを格納しているショートメッセージサービスセンターSM-SCのアドレスが含まれる。本発明に係わるホームロケーションレジスターHLRもまた、そのレジスターにおいて、第1の実施例においてはGPRSネットワークである主要ネットワークにおける移動局の到達可能性に関する情報を維持するよう適用されている。収容GPRSサポートノードSGSNは、ホームロケーションレジスターHLRへの（ダイレクトシグナリング接続またはオペレータ間バックボーンネットワーク13を通じた）Grインタフェースを有している。動き回る移動局MSのホームロケーションレジスターHLRは収容SGSN以外の移動通信ネットワークに存在してもよい。
オペレータ装置SGSNとGGSNとを相互接続するオペレータ間バックボーンネットワーク13は、例えばIPネットワーク等のローカルエリアネットワークで実現することもできる。なお、例えば単独のコンピュータにおける全フィーチャを実現することにより、オペレータ間バックボーンネットワークを用いずにオペレータGPRSネットワークを実現することも可能である。
オペレータ間バックボーンネットワークは異なるオペレータのゲートウェイサポートノードGGSNが互いに通信することができるネットワークである。
図2は移動局MSがGSMネットワークだけでなくGPRSネットワークにも属しており、アソシエーションが確立した状況における、本発明に従うシグナリングを示している。ショートメッセージサービスセンターSM-SCは移動局MSへの配送用のショートメッセージSMを受信しているが、移動局は例えばシャドウ領域への移動のためにGPRSネットワークでは到達不可能であり、移動局MSはGPRSネットワークを通じて到達することができない。不必要なシグナリングを減少させるために、ショートメッセージサービス用ゲートウェイ移動交換センターSMS-GMSCはショートメッセージをGSMネットワークを通じて送ることを避けるが、これはページングはいずれにせよGPRSネットワークを通じて起るためである。以下の説明では、数字は図2のメッセージまたはステップを表わしている。
1．ショートメッセージサービスセンターSM-SCはショートメッセージSMをショートメッセージサービス用ゲートウェイ移動交換センターSMS-GMSCへ送る（Message Transfer）。
2．ショートメッセージサービス用ゲートウェイ移動交換センターSMS-GMSCは移動局MSのアドレスを調べて、移動局のホームロケーションレジスターHLRからのショートメッセージに対するルーティング情報を要求する（Send Routing Info for Short Message）。
3．ホームロケーションレジスターHLRは要求の確認（Send Routing Info for Short Message Ack）をショートメッセージサービス用ゲートウェイ移動交換センターSMS-GMSCへ返す。確認信号は移動局の現在のSGSNアドレスとMSC/VLRアドレスを含んでいる。確認信号は両方のアドレスを含んでいるため、ショートメッセージを収容サポートノードSGSNを通じて配送する試みがなされ、それが成功しない場合は、その後に限り移動サービス交換センターMSC/VLRを通じて配送が試みられる。ホームロケーションレジスターHLRがアドレスを1つしか含んでいなかった場合は、確認信号はいずれかのアドレスのみを含むが、その場合は、最終シグナリングは異なるものになる。
4．ショートメッセージサービス用ゲートウェイ移動交換センターSMS-GMSCはショートメッセージSMを収容サポートノードSGSNへ送る（Forward Short Message）。
5．収容サポートノードSGSNはショートメッセージSMを移動局MSへ転送しようと試みるが失敗する（Message Transfer Failure）。失敗は移動局MSがシャドウ領域に位置しているか、あるいは無線チャネル状況が連続送信には極めて不良であるという事実により起り得るものである。
6．収容サポートノードSGSNは失敗した配送の試みに関するメッセージ（Failure Report）をショートメッセージサービス用ゲートウェイ移動交換センターSMS-GMSCへ返す。本発明の第1実施例に従えば、このメッセージはショートメッセージサービス用ゲートウェイ移動交換センターSMS-GMSCに対し、移動サービス交換センターMSC/VLRを通じてショートメッセージを送る試みをしてはならない、というシグナリングをするパラメータ（not via MSC/VLR）を含んでいる。SMS-GMSCはFailure Reportメッセージを解析して、パラメータ（not via MSC/VLR）を検出すると、MSC/VLRを通じてショートメッセージを送信することはしない。Failure Reportメッセージがパラメータ（not via MSC/VLR）を含まない場合は、SMS-GMSCは先行技術の記述に関して先に説明したような「GSMページング」を行う。本発明の実施例でパラメータ（not via MSC/VLR）が全く使用されないものでも、このことが起る。
7．収容サポートノードSGSNは配送の試みにも拘わらず移動局に到達しなかったことを示すフラグMSNRFをセットする。
8．ショートメッセージサービス用ゲートウェイ移動交換センターSMS-GMSCは、移動局MSのホームロケーションレジスターHLRへSet Message Waiting Dataメッセージを送る。本発明の第1実施例に従えば、このメッセージは移動局MSがGPRSネットワークを通じて到達できないことを示すパラメータ（MS not GPRS）をも含んでいる。最後に述べたパラメータは図5に関してより詳細に説明する。
9．ホームロケーションレジスターHLRは、ショートメッセージサービス用ゲートウェイ移動交換センターSMS-GMSCに対してメッセージの受信を確認する（Set Message Waiting Data Ack）。
10．ホームロケーションレジスターHLRは、移動局MSへの配送をショートメッセージサービスセンターSM-SCで待つメッセージの表示を挿入することにより、そのレジスター（Message Waiting Indication Field）を更新する。さらに、本発明の主要な実施例では、ステップ8で送られたメッセージが前記パラメータ（MS not GPRS）を含んでいた場合、HLRは移動局MSがGPRSネットワークを通じて到達できないことを示すフラグ（MS not GPRS）をセットする。フラグはショートメッセージ待ちデータが保持される限り保持される。
11．ショートメッセージサービス用ゲートウェイ移動交換センターSMS-GMSCは、後で配送するためのショートメッセージSMを格納するショートメッセージサービスセンターMS-SCへ、失敗した配送の試みに関するメッセージ（Failure Report）を返す。
12．移動局MSは、例えばそのルーティングエリアの更新を通じて再びGPRSネットワークにおいて到達可能になり、収容サポートノードSGSNはMSの存在に関するメッセージ（Routing Area update Complete）を受信する。また、移動局は再び到達可能になった事を他の手段により示し、上記の他のメッセージを利用することもできる。重要な点は、収容サポートセルは移動局が到達可能なことを検出するという事である。
13．収容GPRSサポートノードSGSNはフラグMSNRFがセットされていることを検出し、フラグをクリアし、移動局が再び到達可能であるという事実に関する情報（Note MS present）をホームロケーションレジスターHLRへ送る。
14．ホームロケーションレジスターHLRは移動局SMへの配送を待つショートメッセージがあることを検出し、警告メッセージ（Alert Service Center）をショートメッセージサービス用ゲートウェイ移動交換センターSMS-GMSCへ送る。
15．ホームロケーションレジスターHLRは、そのMessage Waiting Indication Fieldsから移動局MSへの配送を待つメッセージの表示を削除することにより、Message Waiting Indication Fieldsを更新する。同時に、HLRは移動局MSがGPRSネットワークを通じて到達出来ないことを示す、本発明に従うフラグ（MS not GPRS）をクリアする。
16．ショートメッセージサービス用ゲートウェイ移動交換センターSMS-GMSCは警告メッセージ（Alert Service Center）をショートメッセージサービスセンターSM-SCへ送る。
17．ショートメッセージサービスセンターSM-SCはショートメッセージSMをショートメッセージサービス用ゲートウェイ移動交換センターSMS-GMSCへ送る（Message Transfer）（ステップ1と同じ）。
18．ショートメッセージサービス用ゲートウェイ移動交換センターSMS-GMSCは移動局MSのアドレスを調べて、移動局のホームロケーションレジスターHLRからのショートメッセージに対するルーティング情報を要求する（Send Routing Info for Short Message）（ステップ2と同じ）。
19．ホームロケーションレジスターHLRは要求の確認（Send Routing Info for Short Message Ack）をショートメッセージサービス用ゲートウェイ移動交換センターSMS-GMSCへ返す。確認信号は移動局の現在のSGSNアドレスとMSC/VLRアドレスを含んでいる。確認信号は両方のアドレスを含んでいるため、ショートメッセージを収容サポートノードSGSNを通じて配送する試みがなされる（ステップ3と同じ）。
20．ショートメッセージサービス用ゲートウェイ移動交換センターSMS-GMSCはショートメッセージSMを収容サポートノードSGSNへ送る（Forward Short Message）（ステップ4と同じ）。
21．収容サポートノードSGSNはショートメッセージSMを移動局MSへ転送する（Message Transfer）。
22．収容サポートノードSGSNは成功した配送に関するメッセージ（Delivery Report）をショートメッセージサービス用ゲートウェイ移動交換センターSMS-GMSCへ返す。
23．ショートメッセージサービス用ゲートウェイ移動交換センターSMS-GMSCは成功した配送に関するメッセージ（Delivery Report）をホームロケーションレジスターHLRとショートメッセージサービスセンターSM-SCへ返す。
パラメータ「移動サービス交換センターMSC/VLRを通じてショートメッセージSMを送る試みをしてはならない」をショートメッセージサービス用ゲートウェイ移動交換センターSMS-GMSCへ送るメッセージに挿入することによって、ステップ6では、先に説明した移動サービス交換センターMSC/VLRとショートメッセージサービス用ゲートウェイ移動交換センターSMS-GMSCとの間の不必要なシグナリング、および移動局のページングにより生ずるシグナリングを避けることができる。GSMページングはページングが失敗したのと同じ収容サポートノードGSMを通じて実行されていたことであろう。さらに、先行技術のアプローチの欠点にもある、ビジターロケーションレジスターVLRにおいてフラグMSNRFをセットし、その結果である移動サービス交換センターMSCとホームロケーションレジスターHLRとの間の不必要なシグナリングを避けることができる。
ステップ8で、移動局がGPRSネットワークを通じて到達不可能であることを示すパラメータ（Set Message Waiting Data）がメッセージに挿入されて、ステップ10でホームロケーションレジスターHLRがそのレジスターにおいてこの情報を更新すると、移動局がGPRSを通じて再び到達可能になったという情報をホームロケーションレジスターが受信するまでは（つまり、図2の例でステップ15まで）GPRSネットワークにおける不必要なページング動作を避けることができる。HLRがMSルーティング情報要求を受信した場合、HLRはMSがパラメータ（MS not GPRS）を有しているか否かをチェックする。パラメータ（MS not GPRS）が存在する場合、HLRは移動サービス交換センターMSC/VLRのみのアドレス（つまりＳＧＳＮアドレスは応答に入れられない）を送ることによりルーティング情報要求に応答する。これにより、例えばメッセージが宛先に配送されないことによる、GPRSネットワークを通じての不必要なショートメッセージの配送の試みを排除できるという利点がある。さらに、同じ情報を他のGPRSサービスでも利用することができる。パラメータ（MS not GPRS）が（例えば図2の例でステップ10より前でステップ15より後に）存在しない場合、HLRは移動サービス交換センターMSC/VLRのアドレスとSGSNアドレスを送ることによりルーティング情報要求に応答する。本発明の実施例でパラメータ（MS not GPRS）が全く使用されないものでもこのことが起る。
上記の本発明の第1実施例では、両パラメータ「ショートメッセージSMを移動サービス交換センターMSC/VLRを通じて送る試みをしてはならない」と「移動加入者はGPRSネットワークを通じて到達不可能」が使用された。これにより、シグナリングの観点からは最良の結果が得られる。しかしながら、これらの1つだけを用いることも可能であり、それにより、先行技術に比較してシグナリングメッセージの数を少なくすることができる。パラメータのうちの1つが省かれている場合も、シグナリングは上述とは異なるものとなる。
ステップは絶対的な時系列では述べられていない。上述のステップのいくつかは同時にあるいは異なる順序で行われる。そうしたステップにはステップ6および7、9および10、12および13、14および15、そして22および23が含まれる。
図3は図2に示すのと同様の状況におけるシグナリングを示している。唯一異なる点は、ショートメッセージMSの配送が不成功に終わった後に配送移動局MSがGPRSネットワークから外れている事である。できるだけ急速なショートメッセージの配送を確かに行うためには、ビジターロケーションレジスターMSC/VLRもまたホームロケーションレジスターHLRにネットワークにおける移動局の存在を警告するようにする必要がある。以下の説明では、数字は図3のメッセージまたはステップを表わしている。ステップ1〜11は図2におけるものと同じである。
１．ショートメッセージサービスセンターＳＭ−ＳＣはショートメッセージＳＭをショートメッセージサービスのためのゲートウェイモビル切替センターＳＭＳ−ＧＭＳＣに転送する（メッセージ転送）。
２．ショートメッセージサービスのためのゲートウェイモビル切替センターＳＭＳ−ＧＭＳＣはモビルステーションＭＳのアドレスを調べ、モビルステーションのホームロケーションレジスターＨＬＲにショートメッセージに対する経路指示情報を要求する（ショートメッセージに対する経路指示情報送付）。
３．ホームロケーションレジスターＨＬＲは要求の認知をショートメッセージサービスのためのゲートウェイモビル切替センターＳＭＳ−ＧＭＳＣに返す（ショートメッセージに対する経路指示情報送付の認知）。認知には現在のＳＧＳＮアドレスとモビルステーションＭＳのＭＳＣ／ＶＬＲアドレスが含まれている。認知には両アドレスが含まれているので、ショートメッセージはサービングサポートノードＳＧＳＮ経由での送付が試みられ、うまく行かなければ、その時だけはモービルサービス切替センターＭＳＣ／ＶＬＲ経由で行われる。ホームロケーションレジスターＨＬＲが１つのアドレスだけを含んでいる場合には、認知には片方のアドレスだけを含ませることもできるが、その場合には信号送信は違ってくる。
４．ショートメッセージサービスのためのゲートウェイモビル切替センターＳＭＳ−ＧＭＳＣはサービングサポートノードＳＧＳＮにショートメッセージＳＭを転送する（ショートメッセージ転送）。
５．サービングサポートノードＳＧＳＮはショートメッセージＳＭをモビルステーションＭＳに転送しようとするが失敗する（メッセージ転送失敗）。失敗の原因は、モビルステーションＭＳがシャドウ域にあるか、無線通信路状態が悪くてうまく送信できないかである。
６．モビルステーションＭＳは送付に失敗したというメッセージ（失敗報告）をショートメッセージサービスのためのゲートウェイモビル切替センターＳＭＳ−ＧＭＳＣに返す。このメッセージは、ショートメッセージサービスのためのゲートウェイモビル切替センターＳＭＳ−ＧＭＳＣへ（ＭＳＣ／ＶＬＲ経由ではなく）信号送信するパラメータを含んでいる。
７．サービングサポートノードＳＧＳＮは、モビルステーションへの通信を試みたが出来なかったことを標示するフラグＭＳＮＲＦをセットする。
８．ショートメッセージサービスのためのゲートウェイモビル切替センターＳＭＳ−ＧＭＳＣは、モビルステーションＭＳのホームロケーションレジスタＨＬＲにセットメッセージウェイティングデータのメッセージを送る。このメッセージはモビルステーションＭＳにはＧＰＲＳネットワーク経由で到達できていないという情報を含んでいる方が望ましい（ＧＰＲＳ経由でＭＳ到達不能）。
９．ホームロケーションレジスタＨＬＲは、ショートメッセージサービスのためのゲートウェイモビル切替センターＳＭＳ−ＧＭＳＣに、メッセージを受け取ったことを知らせる（セットメッセージウェイティングデータ認知）。
１０．ホームロケーションレジスタＨＬＲは、ショートメッセージサービスセンターＳＭ−ＳＣでモビルステーションＭＳへ渡すために待機しているメッセージの標示を挿入してその記録簿（メッセージ待機標示フィールド）を更新し、ステップ８で送られたメッセージがその情報を含んでいたら、モビルステーションＭＳにはＧＰＲＳネットワーク経由で到達できなかったことを標示するフラグ（ＧＰＲＳでＭＳ不能）をセットする。
１１．ショートメッセージサービスのためのゲートウェイモビル切替センターＳＭＳ−ＧＭＳＣは送付に失敗したというメッセージ（失敗報告）をショートメッセージサービスセンターＳＭ−ＳＣに返し、ＳＭ−ＳＣは後で送付するためショートメッセージＳＭを記憶する。
１２．モビルステーションはＧＰＲＳネットワークから切り離される。ＧＰＲＳからの切り離しは、サービングサポートノードＳＧＳＮが、モビルステーションＭＳがページング要求に応答しないときに切り離し決定をするか、又は、待ち時間が切れて、モビルステーションＭＳとサービングサポートノードＳＧＳＮが共にＭＭコンテクストにおいてＭＳがアイドル状態に変わったという標示を更新するかの何れかによるものである。最後に述べた代替案では、モビルステーションＭＳにはＧＳＭネットワーク経由で到達できる。
１３．サービングＧＰＲＳサポートノードＳＧＳＮはモービルサービス切替センターＭＳＣ／ＶＬＲに連携が解除されたことを知らせる。本発明の第２の実施例によれば、サービングサポートノードＳＧＳＮは同じメッセージで、ビジターロケーションレジスターＭＳＣ／ＶＬＲにフラグＭＳＮＲＦをセットするように命令するパラメーター（ＭＳＮＲＦ設定）を送る。
１４．サービングサポートノードＳＧＳＮからのパラメーター（ＭＳＮＲＦ設定）を受け取ると、ビジターロケーションレジスターＭＳＣ／ＶＬＲはモビルステーションにはＧＳＭネットワークでは到達できないことの標示としてフラグＭＳＮＲＦをセットする。
ステップ１３でパラメータ（ＭＳＮＲＦ設定）を、本発明の第２の実施例に従って、サービングサポートノードＳＧＳＮからモービルサービス切替センターＭＳＣ／ＶＬＲに送られるメッセージに挿入し、それに続いてステップ１４でフラグＭＳＮＲＦがビジターロケーションレジスターＭＳＣ／ＶＬＲにセットされることにより、モビルステーションが何れかのネットワークに登録する最も早い機会にショートメッセージを送付できることが保証される。ステップ１４でフラグをセットしないと、ショートメッセージＳＭは、モビルステーションがＧＰＲＳネットワークと繋がった後にのみ送付される。
ステップ６で「モービルサービス切替センターＭＳＣ／ＶＬＲ経由でショートメッセージＳＭを送ろうとしないこと」というパラメータをショートメッセージサービスのためのゲートウェイモビル切替センターＳＭＳ−ＧＭＳＣに送られるメッセージに挿入することによって、モービルサービス切替センターＭＳＣ／ＶＬＲとショートメッセージサービスのためのゲートウェイモビル切替センターＳＭＳ−ＧＭＳＣとの間の信号送信、及びモビルステーションのページングに起因する信号送信は避けられる。ページングはサービングサポートノードＳＧＳＮを経由して行われていたのである。
ステップ８で、モビルステーションにはＧＰＲＳネットワーク経由では到達出来ないことを標示するパラメータがメッセージに挿入され、ステップ１０でホームロケーションレジスタＨＬＲがその記録簿内のその情報を更新すれば、ホームロケーションレジスタは、この情報が記録簿内で有用なときまで（即ち、ステップ１５まで）は、モビルステーションＭＳに対する経路指定情報要求に応えて、モービルサービス切替センターＭＳＣ／ＶＬＲのアドレスのみを送る。これは例えば、メッセージは目的地に送付できないのだから、ＧＰＲＳ経由でショートメッセージを送付しようとする不必要な試みを省く利点を持っている。同じ情報は他のＧＰＲＳでも利用できる。
ショートメッセージの送付はモビルステーションＭＳが如何にネットワークに繋がるかによって変わる。モビルステーションがその存在を最初にＧＭＳネットワークで知らせれば（ＩＭＳＩ連結）、ショートメッセージはＧＳＭネットワーク経由で通常の方法で送られる。「モビル加入者はＧＰＲＳネットワーク経由で到達不能」のパラメータが使用されなければ、ショートメッセージサービスのためのゲートウェイモビル切替センターＳＭＳ−ＧＭＳＣは両方のネットワークのアドレスを受け取り、先ずショートメッセージをＧＰＲＳネットワーク経由で送ろうとして成功ぜず、その後で始めて、ＧＳＭネットワーク経由で試みる。しかし、モビルステーションＭＳはＧＭＳ制御チャネルを聴き、ＧＭＳページングは関連がないので通常のページングとして実行されるので、ショートメッセージの送付はうまく行くであろう。しかし、フラグＭＳＮＲＦはサービングＧＰＲＳサポートノード内にセットされたまま残る。次にモビルステーションＭＳがＧＰＲＳネットワークに接続されると、サービングサポートノードＳＧＳＮはフラグをクリアし、ＭＳの到着に関する情報をネットワークでホームロケーションレジスターＨＬＲに送り、ＨＬＲはその記録簿から「モビル加入者はＧＰＲＳネットワーク経由で到達不能」のパラメータを、そのようなパラメータが使用されている場合は、削除する。
モビルステーションがＧＰＲＳネットワークに最初に接続するか又は組み合わせ接続すると、モビルステーションＭＳへのショートメッセージの送付は、図２に関して述べた信号送付（ステップ１３−２３）を使ってＧＰＲＳ経由で行われる。
本発明の第２に実施例では３つのパラメータ、即ち、「モービルサービス切替センターＭＳＣ／ＶＬＲ経由でショートメッセージＳＭを送ろうとしないこと」「モビル加入者はＧＰＲＳネットワーク経由で到達不能」「ＭＳＮＲＦ設定」の全てが使用されたが、これは信号送信の観点からは最善の結果をもたらすであろう。しかし、これらパラメータの内１個ないし２個を使ってもよく、信号送信メッセージの数を先行技術と比較して低減することができる。１つ又はそれ以上のパラメータを省略する場合、信号送信も上記とは違って来るであろう。
ステップは図３の絶対時間順序で説明されてはいない。上記ステップの幾つかは同時に、又は異なる順序で起こる。そのようなステップにはステップ６，７，９，１０が含まれる。
図４は本発明の第３実施例による信号送信を表し、これによれば、モビルステーションＭＳがＧＰＲＳネットワークと接続され、ＧＳＭネットワークと接続されるようになるか、又は組み合わせ接続を行うかすれば、ビジターロケーションレジスターＭＳＣ／ＶＬＲにセットされたフラグＭＳＮＦＲはクリアされる。その場合、ショートメッセージはＧＰＲＳネットワーク経由でモビルステーションＭＳに送付された／又は今から送付され、ビジターロケーションレジスターＭＳＣ／ＶＬＲにセットされたフラグＭＳＮＦＲは不要であり、余分な信号送信を行うことになる。図４に示す信号送信は図３に示す信号送信と組み合わせることもできるが、これも又、「モービルサービス切替センターＭＳＣ／ＶＬＲ経由でショートメッセージＳＭを送ろうとしないこと」及び「モビル加入者はＧＰＲＳネットワーク経由で到達不能」のパラメータの挿入無しで、或いはパラメータの一つだけを挿入する方法で行うことができる。図４に示す信号送付と同時に、図２に関して説明した信号送付（ステップ１３−２３）を用いて、ＧＰＲＳ経由で、モビルステーションＭＳへショートメッセージＳＭを送付することができる。図４に示す信号送付は、デュアルモードモビルステーションに対して行うことができ、シングルモードモビルステーションは一度に１つのネットワークにだけ接続することができる。図４は組み合わせ接続の結果を示す。関連づけは既に図に示す信号送信の前に確立されている。既にＧＰＲＳネットワークに接続されたモビルステーションＭＳのＧＳＭネットワークへの接続（ＩＭＳＩ接続）は、同時に関連づけを確立しながら、サービングサポートノードＳＧＳＮ経由で行われるので、その信号送信も又同様で、メッセージの名称のみが違ってもよい。以下の説明において、番号は図４中のメッセージ又はステップに関するものである。
１．モビルステーションＭＳは接続（接続完了）をサービングサポートノードＳＧＳＮび知らせる。
２．サービングサポートセルＳＧＳＮはモビルステーションＭＳのＧＭＳネットワークへの接続認知（ＴＭＳＩ再割当て完了）をビジターロケーションレジスターＭＳＣ／ＶＬＲに送る。認知には本発明の第３実施例によるパラメータ（ＭＳＮＲＦ解除）が含まれており、ビジターロケーションレジスターＭＳＣ／ＶＬＲにフラグＭＳＮＲＦをクリアするよう命令する。
３．ビジターロケーションレジスターＭＳＣ／ＶＬＲはフラグＭＳＮＲＦをクリアする。
ステップ２でパラメータ「ＭＳＮＲＦ解除」をビジターロケーションレジスターに送られるメッセージに挿入することにより、モービルサービス切替センターＭＳＣとホームロケーションレジスターＨＬＲの間の不要な信号送信が避けられる。サービングサポートノードＳＧＳＮからＧＳＭ接続認知を受信したとき、ビジターロケーションレジスターＭＳＣ／ＶＬＲがホームロケーションレジスターＨＬＲにモビルステーションＭＳがネットワーク内で到達可能であると知らせないようになっていれば同じ結果が得られる。モビルステーションがＧＰＲＳネットワーク経由では到達できないという情報をホームロケーションレジスターが保持していないときに、ＧＳＭネットワークに接続しているモビルステーションがＧＰＲＳネットワークに接続されるようになれば、同じ原理が適用できる。
図５は、モビルステーションがＧＰＲＳネットワークからは切り離されているがＧＳＭネットワークには接続されている場合に、ショートメッセージＳＭを送付するのに必要な信号送信を示す。不要な信号送付を減らすためには、ショートメッセージサービスのためのゲートウェイモビル切替センターＳＭＳ−ＧＭＳＣは、ページングはいずれにしろＧＰＲＳネットワーク経由で行われることになるので、ＧＭＳネットワーク経由でのショートメッセージ送付を避けなければならない。以下の説明では、番号は図５のメッセージ又はステップを指す。
１．ショートメッセージサービスセンターＳＭ−ＳＣはショートメッセージＳＭをショートメッセージサービスのためのゲートウェイモビル切替センターＳＭＳ−ＧＭＳＣに転送する（メッセージ転送）。
２．ショートメッセージサービスのためのゲートウェイモビル切替センターＳＭＳ−ＧＭＳＣはモビルステーションＭＳのアドレスを調べ、モビルステーションのホームロケーションレジスターＨＬＲにショートメッセージに対する経路指示情報を要求する（ショートメッセージに対する経路指示情報送付）。
３．ホームロケーションレジスターＨＬＲは要求の認知をショートメッセージサービスのためのゲートウェイモビル切替センターＳＭＳ−ＧＭＳＣに返す（ショートメッセージに対する経路指示情報送付の認知）。認知には現在のＳＧＳＮアドレスとモビルステーションＭＳのＭＳＣ／ＶＬＲアドレスが含まれている。認知には両アドレスが含まれているので、ショートメッセージはサービングサポートノードＳＧＳＮ経由での送付が試みられ、うまく行かなければ、その時だけはモービルサービス切替センターＭＳＣ／ＶＬＲ経由で行われる。認知には片方のアドレスだけを含ませることもできるが、その場合には、ショートメッセージは１つのネットワークだけを経由して送付が試みられる。
４．ショートメッセージサービスのためのゲートウェイモビル切替センターＳＭＳ−ＧＭＳＣはサービングサポートノードＳＧＳＮにショートメッセージＳＭを転送する（ショートメッセージ転送）。
５．サービングサポートノードＳＧＳＮは、モビルステーションＭＳが、ＧＰＲＳネットワークから切り離されていることを検知する（ＭＳ＝ＧＰＲＳ切り離し）。
６．サービングサポートノードＳＧＳＮは、ショートメッセージサービスのためのゲートウェイモビル切替センターＳＭＳ−ＧＭＳＣに、送付の試みが失敗したとのメッセージ（失敗報告）を返す。
７．サービングサポートノードＳＧＳＮは、試みた結果モビルステーションＭＳに到達できなかったことを標示するフラグＭＳＮＦＲをセットする。
８．ショートメッセージサービスのためのゲートウェイモビル切替センターＳＭＳ−ＧＭＳＣは、モビルサービス切替センターＭＳＣ／ＶＬＲにショートメッセージＳＭを転送する（ショートメッセージ転送）。
９．モビルサービス切替センターＭＳＣ／ＶＬＲは、通常はＧＳＭネットワーク経由でショートメッセージをモビルステーションＭＳに転送する（メッセージ転送）。モビルステーションＭＳはＧＰＲＳネットワークから切り離されていたので、ＧＳＭページングチャネルを聴いており、ショートメッセージＳＭの送付は成功した。
１０．モービルサービス切替センターＭＳＣ／ＶＬＲは、ショートメッセージサービスのためのゲートウェイモビル切替センターＳＭＳ−ＧＭＳＣに、送付成功のメッセージを返す（送付報告）。
１１．ショートメッセージサービスのためのゲートウェイモビル切替センターＳＭＳ−ＧＭＳＣは、ショートメッセージサービスセンターＳＭ−ＳＣに、送付成功のメッセージを返す（送付報告）。
１２．ショートメッセージサービスのためのゲートウェイモビル切替センターＳＭＳ−ＧＭＳＣは、モビルステーションＭＳのホームロケーションレジスターＨＬＲに送付成功のメッセージを返す（送付報告）。本発明の第４実施例によれば、ショートメッセージサービスのためのゲートウェイモビル切替センターＳＭＳ−ＧＭＳＣは、モビルステーションＭＳにはＧＰＲＳネットワーク経由では到達できないことを標示するパラメータ（ＧＰＲＳ経由でＭＳ到達不能）をメッセージに挿入する。ショートメッセージサービスのためのゲートウェイモビル切替センターが、サービングサポートノードＳＧＳＮから失敗報告を受け取るので無条件にパラメータを挿入するか、或いは、ステップ６で送られた失敗報告も「モビル契約者ＭＳにはＧＰＲＳネットワーク経由で到達不能」のパラメータをホームロケーションレジスターに送られるメッセージに挿入させるパラメータを含んでいるかもしれない。
１３．ホームロケーションレジスターＨＬＲは、モビルステーションＭＳがＧＰＲＳネットワーク経由では到達できないことを標示するフラグ（ＧＰＲＳでＭＳ不能）をセットする。
１４．ショートメッセージサービスセンターは、モビルステーションＭＳに送付する新たなショートメッセージを受け取る。
１５．ショートメッセージサービスセンターＳＭ−ＳＣは、ショートメッセージサービスのためのゲートウェイモビル切替センターＳＭＳ−ＧＭＳＣにショートメッセージＳＭを転送する（メッセージ転送）（ステップ１に同じ）。
１６．ショートメッセージサービスのためのゲートウェイモビル切替センターＳＭＳ−ＧＭＳＣはモビルステーションＭＳのアドレスを調べ、モビルステーションのホームロケーションレジスターＨＬＲにショートメッセージに対する経路指示情報を要求する（ショートメッセージに対する経路指示情報送付）（ステップ２に同じ）。
１７．ホームロケーションレジスターＨＬＲは要求の認知をショートメッセージサービスのためのゲートウェイモビル切替センターＳＭＳ−ＧＭＳＣに返す（ショートメッセージに対する経路指示情報送付の認知）。認知には、ホームロケーションレジスターＨＬＲが「モビル契約者ＭＳはＧＰＲＳネットワーク経由で到達不能」のフラグを持っているので、モビルステーションＭＳの現在のＭＳＣ／ＶＬＲアドレスのみが含まれている。
１８．ショートメッセージサービスのためのゲートウェイモビル切替センターＳＭＳ−ＧＭＳＣは、モビルサービス切替センターＭＳＣ／ＶＬＲにショートメッセージＳＭを転送する（ショートメッセージ転送）（ステップ８に同じ）。
１９．モビルサービス切替センターＭＳＣ／ＶＬＲは、通常はＧＳＭネットワーク経由でショートメッセージをモビルステーションＭＳに転送する（メッセージ転送）。モビルステーションＭＳはＧＰＲＳネットワークから切り離されていたので、ＧＳＭページングチャネルを聴いており、ショートメッセージＳＭの送付は成功した（ステップ９に同じ）。
２０．モービルサービス切替センターＭＳＣ／ＶＬＲは、ショートメッセージサービスのためのゲートウェイモビル切替センターＳＭＳ−ＧＭＳＣに、送付成功のメッセージを返す（送付報告）（ステップ１０に同じ）。
２１．ショートメッセージサービスのためのゲートウェイモビル切替センターＳＭＳ−ＧＭＳＣは、ショートメッセージサービスセンターＳＭ−ＳＣに、送付成功のメッセージを返す（送付報告）（ステップ１１に同じ）。
２２．ショートメッセージサービスのためのゲートウェイモビル切替センターＳＭＳ−ＧＭＳＣは、モビルステーションＭＳのホームロケーションレジスターＨＬＲに、送付成功のメッセージ（送付報告）を返す。この場合、ショートメッセージサービスのためのゲートウェイモビル切替センターＳＭＳ−ＧＭＳＣは、「モビル契約者ＭＳはＧＰＲＳネットワーク経由で到達不能」のパラメータをメッセージに挿入しない。
２３．モビルステーションＭＳが、一番近いサービングサポートノードＳＧＳＮで、再びＧＰＲＳネットワークに接続する（接続完了）。
２４．サービングＧＰＲＳサポートノードＳＧＳＮは、フラグＭＳＮＲＦがセットされているのを感知してそのフラグをクリアし、モビルステーションＭＳがホームロケーションレジスターＨＬＲに再び到達可能になった（ＭＳ存在注意）という情報を送る。
２５．ホームロケーションレジスターＨＬＲは、ＭＳはＧＰＲＳネットワーク経由で到達不能と標示するフラグをクリアする。その後、経路指示情報の要求に応えて、モビルステーションにＳＧＳＮアドレスとＭＳＣ／ＶＬＲアドレスの双方を与える。
「モビル契約者ＭＳはＧＰＲＳネットワーク経由で到達不能」のパラメータをステップ１２でホームロケーションレジスターＨＬＲに送られるメッセージに挿入し、そして、ホームロケーションレジスターＨＬＲの記録簿にフラグを保持することにより、モビルステーションがＧＰＲＳネットワークから切り離されている間、ショートメッセージサービスのためのゲートウェイモビル切替センターＳＭＳ−ＧＭＳＣとサービングサポートノードＳＧＳＮの間の不要な信号送信が避けられる。上記パラメータはショートメッセージ以外のデータ送信にも利用できる。更に、ステップ２４で送られる信号送信メッセージはホームロケーションレジスターＨＬＲに変化を作り出すので重要である。
切り離しのための信号送信はモビルステーションＭＳとサービングサポートノードＳＧＳＮの間で行われるだけなので、モビルステーションがネットワークから切り離された際に「モビル契約者ＭＳはＧＰＲＳネットワーク経由で到達不能」のパラメータをホームロケーションレジスターＨＬＲに送るのは意味がない。モビルステーションがネットワークから切り離されている間にモビルステーションにショートメッセージを送付する試みが行われるかは全く不確実なので、ホームロケーションレジスターへの特別の信号送付には意味がない。本発明では通常の信号送信が使われ、それにより不要な信号送信が低減される。
ＧＳＭネットワークがショートメッセージの送付に成功しなかった場合、上記の信号送信は少し違ってくる。その場合、ステップ１２でセットメッセージウェイティングデータのメッセージ（図２のステップ８に同じ）がホームロケーションレジスターに送られ、上記説明のステップ１２で行われたのと正確に同じように「モビル契約者ＭＳはＧＰＲＳネットワーク経由で到達不能」のパラメータがメッセージに挿入されることになる。パラメータの挿入は、どのメッセージにパラメータが挿入されたかには関わりなく、ホームロケーションレジスターＨＬＲの作動には同じ効果をもたらす。
図５で説明したステップは絶対時間順序通りではない。上記説明のステップの幾つかは、同時に、或いは違った順序で起こることもある。そのようなステップには、ステップ４と５、７と８、１１と１２、２１と２２が含まれる。
図６は、回路切替接続（例えば音声呼び出しで）であることと、データパケットを受信すること、を同時にはできない、即ち「クラスＢ電話」である、デュアルモード電話の場合の信号送信を示す。そのような電話のＧＰＲＳ接続はモービルサービス切替センターＭＳＣ／ＶＬＲが接続状態にある時は中止される。ショートメッセージは回路切替接続においては、現下のＧＳＭチャネルがその送付に使用できるので、容易にモビルステーションＭＳに送れる。以下の説明で、数は図６中のメッセージ又はステップを指す。
１．ショートメッセージサービスセンターＳＭ−ＳＣは、ショートメッセージＳＭを、ショートメッセージサービスのためのゲートウェイモビル切替センターＳＭＳ−ＧＭＳＣに転送する（メッセージ転送）。
２．ショートメッセージサービスのためのゲートウェイモビル切替センターＳＭＳ−ＧＭＳＣはモビルステーションＭＳのアドレスを調べ、モビルステーションのホームロケーションレジスターＨＬＲに、ショートメッセージに対する経路指示情報を要求する（ショートメッセージに対する経路指示情報送付）。
３．ホームロケーションレジスターＨＬＲは要求の認知をショートメッセージサービスのためのゲートウェイモビル切替センターＳＭＳ−ＧＭＳＣに返す（ショートメッセージに対する経路指示情報送付の認知）。認知には現在のＳＧＳＮアドレスとモビルステーションＭＳのＭＳＣ／ＶＬＲアドレスが含まれている。認知には両アドレスが含まれているので、ショートメッセージはサービングサポートノードＳＧＳＮ経由での送付が試みられ、うまく行かなければ、その時だけはモービルサービス切替センターＭＳＣ／ＶＬＲ経由で行われる。
４．ショートメッセージサービスのためのゲートウェイモビル切替センターＳＭＳ−ＧＭＳＣは、サービングサポートノードＳＧＳＮにショートメッセージＳＭを転送する（ショートメッセージ転送）。
５．サービングサポートノードＳＧＳＮは、モビルステーションＭＳが、ＧＰＲＳネットワークから保留されていることを検知する。
６．サービングサポートノードＳＧＳＮは、ショートメッセージサービスのためのゲートウェイモビル切替センターＳＭＳ−ＧＭＳＣに、送付の試みが失敗したとのメッセージ（失敗報告）を返す。本発明の第５実施例に従って、回路切替接続が解除されると直ぐに、ＧＰＲＳネットワーク経由でモビルステーションに到達可能と標示するパラメータ（ＧＰＲＳ到達可能）をメッセージに挿入する。その場合、サービングサポートノードＳＧＳＮは、モビルステーションが保留となっているので、フラグＭＳＮＲＦをセットしない。
７．ショートメッセージサービスのためのゲートウェイモビル切替センターＳＭＳ−ＧＭＳＣは、モビルサービス切替センターＭＳＣ／ＶＬＲにショートメッセージＳＭを転送する（ショートメッセージ転送）。
８．モビルサービス切替センターＭＳＣ／ＶＬＲは、モビルステーションＭＳに、通常はＧＳＭネットワーク経由でショートメッセージを転送する（ショートメッセージ転送）。
９．モビルサービス切替センターＭＳＣ／ＶＬＲは、ショートメッセージサービスのためのゲートウェイモビル切替センターＳＭＳ−ＧＭＳＣに、送付成功のメッセージ（送付報告）を返す。
１０．ショートメッセージサービスのためのゲートウェイモビル切替センターＳＭＳ−ＧＭＳＣは、ショートメッセージサービスセンターＳＭ−ＳＣに、送付成功のメッセージを返す（送付報告）。
１１．ショートメッセージサービスのためのゲートウェイモビル切替センターＳＭＳ−ＧＭＳＣは、モビルステーションＭＳのホームロケーションレジスターＨＬＲに送付成功のメッセージを返す（送付報告）。その場合、ショートメッセージサービスのためのゲートウェイモビル切替センターＳＭＳ−ＧＭＳＣは、図５に関連して詳しく説明したように、ショートメッセージサービスのためのゲートウェイモビル切替センターが受け取るメッセージは「モビル契約者ＭＳはＧＰＲＳネットワーク経由で到達可能」のパラメータを含んでいるので、そのパラメータがたとえ使用されていても、モビルステーションＭＳにはＧＰＲＳネットワーク経由では到達できないことを標示するパラメータ（ＧＰＲＳ経由でＭＳ到達不能）をメッセージに挿入しない。
回路切替接続が解除されると、モービルサービス切替センターＭＳＣ／ＶＬＲはサービングサポートノードＳＧＳＮにメッセージを送り（再開）、このメッセージに基づきサービングサポートノードはパケット切替データ転送を再開することができる。再開メッセージは、ホームロケーションレジスターＨＬＲにモビルステーションＭＳが再び到達可能になったことを知らせるためにＳＧＳＮに向けられる訳ではないので、ステップ７でパラメータを挿入することにより、先に述べたように、ショートメッセージが先ずＧＰＲＳネットワーク経由で送付されることが保証される。そうしなければ、ＧＰＲＳページングがサービングサポートノードＳＧＳＮを使用しているので何れにしろモビルステーションのページングを行うことになるＧＳＭネットワーク経由でショートメッセージを送付しようとする試みが行われることになる。これは、モービルサービス切替センターＭＳＣ／ＶＬＲとサービングサポートノードＳＧＳＮの間に、不要な信号送信を引き起こす。ショートメッセージを直接サービングサポートノードＳＧＳＮに送ることにより、不要な信号送信が避けられる。
更に、何らかの理由によりステップ９でモビルステーションＭＳにショートメッセージを送付できなければ、ショートメッセージサービスのためのゲートウェイモビル切替センターＳＭＳ−ＧＭＳＣは、モービルサービス切替センターＭＳＣ／ＶＬＲから、モビルステーションＭＳはＧＰＲＳネットワーク経由で到達可能という失敗報告メッセージの受信を検知すると直ぐに、サービングサポートノードＳＧＳＮ経由で送信するためにショートメッセージを送る。ステップ９でショートメッセージは送付できなかったので、回路切替接続は解除され、サービングサポートノードＳＧＳＮは再び、ＧＰＲＳネットワーク経由でモビルステーションＭＳに送信を試みることができる。
図６に示すステップは、絶対時間順序を表しているのではなく、先に説明したステップは同時に、或いは違った順序で起きることもある。そのようなステップにはステップ１０と１１が含まれる。
上記図と関連して説明したパラメータ挿入は各々、他のパラメータ挿入とは独立して行うことができ、不要な信号送信を避けるために自由に挿入できる。信号送信メッセージの名称は上記説明とは異なるが、メッセージで送信される情報は同じである。メッセージは上記に述べた以外の情報を含んでいてもよい。
明快にするために、本発明を、基本的なネットワーク（請求項中の「１次ネットワーク」に相当）はＧＰＲＳネットワークであると仮定して上記では説明した。基本的なネットワークはＧＳＭネットワークであってもよい。オペレーターは、どちらのルートが基本的ネットワークであり、どちらが２次的ネットワークであるかを選択することができる。
添付の図面とその説明は本発明の説明のためだけのものである。添付する請求項の範囲と精神とを逸脱することなく、本発明に対し異なった変更ないし修正が行えることは当業者には自明のことである。
【図１】
0004226081.tif 000002
【図２】
0004226081.tif 000003
【図３】
0004226081.tif 000004
【図４】
0004226081.tif 000005
【図５】
0004226081.tif 000006
【図６】
0004226081.tif 000007